(57)【要約】【課題】重量の増加を抑制しつつ、衝突エネルギの吸収量を増加させることが可能となるロッカ構造を得る。【解決手段】ロッカ１０の下部閉断面部３２内において、外側壁１８と下部内側壁２６の間に横板３６が車両幅方向に沿って架け渡され、横板３６には凸部３８と凹部４０が車両幅方向に沿って連続して交互に形成されており、車両の側突時に、ロッカ１０に側突荷重が入力されると、横板３６は凸部３８及び凹部４０が座屈変形の起点となって変形する。さらに、横板３６において、ロッカ１０の外側壁１８側から下部内側壁２６側へ向かうにつれて凸部３８と凹部４０の振幅が徐々に小さくなるように設定されることにより、横板３６の板厚を厚くすることなく、衝突エネルギの吸収量を増加させることが可能となる。つまり、当該ロッカ１０では、重量の増加を抑制しつつ、衝突エネルギの吸収量を増加させることができる。【選択図】図２
2019137256.tif 000002
【特許請求の範囲】
【請求項１】
車両のフロアパネルの車両幅方向の外側において車両前後方向に沿ってそれぞれ延在された閉断面部と、
前記閉断面部内において、当該閉断面部における車両幅方向の外側に位置する外側壁と車両幅方向の内側に位置する内側壁の間に車両幅方向に沿って架け渡され、車両上下方向の上方側へ向かって突出する凸部と車両上下方向の下方側へ向かって凹む凹部とが車両幅方向に沿って交互に形成され、前記外側壁側から前記内側壁側へ向かうにつれて前記凸部の突出量及び前記凹部の凹み量が変えられた横板と、
を含んで構成されているロッカ構造。
【請求項２】
前記凸部の突出量及び前記凹部の凹み量は、前記外側壁側から前記内側壁側へ向かうにつれて小さく設定された請求項１に記載のロッカ構造。
【請求項３】
前記閉断面部内において、当該閉断面部における車両上下方向の下側に位置する下壁部と前記横板の間に車両上下方向に沿って架け渡された縦板が設けられている請求項１又は請求項２に記載のロッカ構造。
【請求項４】
前記縦板は、前記横板における前記凸部の頂部と前記凹部の頂部の間に設けられている請求項３に記載のロッカ構造。
【請求項５】
前記横板における前記外側壁側に前記凸部が形成され、
前記縦板は、前記凸部と前記凹部の変曲点と交差する位置に設けられている請求項４に記載のロッカ構造。
【請求項６】
前記横板は前記閉断面部における車両上下方向の中央部に配置されている請求項１〜請求項５の何れか１項に記載のロッカ構造。
【請求項７】
前記横板は、前記凸部と前記凹部が交互に形成された波状を成し、
前記横板における前記外側壁側は前記凸部が設けられ、当該横板と当該外側壁との交点と当該外側壁側の凸部の頂部との変位は、当該外側壁側の凸部の振幅よりも小さく設定されている請求項１〜請求項６の何れか１項に記載のロッカ構造。
【発明の詳細な説明】
【技術分野】
【０００１】
本発明は、ロッカ構造に関する。
【背景技術】
【０００２】
下記特許文献１には、車両幅方向に沿って切断したときに閉断面部が形成されるロッカにおいて、閉断面部内に断面形状がＸ状を成す板材が設けられた技術が開示されている。そして、この先行技術では、これにより、車両の側面衝突時（以下、「車両の側突時」という）において、当該板材が折り畳まれ（座屈変形し）、衝突エネルギが吸収可能とされる。
【先行技術文献】
【特許文献】
【０００３】
【特許文献１】米国特許出願公開第１３／００８８０４４号明細書
【発明の概要】
【発明が解決しようとする課題】
【０００４】
前述のように、上記先行技術では、Ｘ状を成す板材が折り畳まれることにより、座屈変形して衝突エネルギが吸収可能とされるが、板材において、座屈変形の安定化を図るため板材を座屈変形し易くすると、衝突エネルギの吸収量が低くなる可能性がある。このため、当該板材の板厚を厚くすることが考えられるが、この場合、ロッカの重量が増加してしまう。
【０００５】
本発明は上記事実を考慮し、重量の増加を抑制しつつ、衝突エネルギの吸収量を増加させることが可能となるロッカ構造を提供するものである。
【課題を解決するための手段】
【０００６】
上記目的を達成するための第１の態様に係るロッカ構造は、車両のフロアパネルの車両幅方向の外側において車両前後方向に沿ってそれぞれ延在された閉断面部と、前記閉断面部内において、当該閉断面部における車両幅方向の外側に位置する外側壁と車両幅方向の内側に位置する内側壁の間に車両幅方向に沿って架け渡され、車両上下方向の上方側へ向かって突出する凸部と車両上下方向の下方側へ向かって凹む凹部とが車両幅方向に沿って交互に形成され、前記外側壁側から前記内側壁側へ向かうにつれて前記凸部の突出量及び前記凹部の凹み量が変えられた横板と、を含んで構成されている。
【０００７】
第１の態様に係るロッカ構造では、ロッカにおいて、車両のフロアパネルの車両幅方向の外側に車両前後方向に沿って延在された閉断面部が設けられている。この閉断面部内において、ロッカの車両幅方向の外側に位置する外側壁と車両幅方向の内側に位置する内側壁の間には、横板が車両幅方向に沿って架け渡されている。
【０００８】
この横板には、車両上下方向の上方側へ向かって突出する凸部と、車両上下方向の下方側へ向かって凹む凹部と、が車両幅方向に沿って交互に形成されている。そして、当該横板は、ロッカの外側壁側から内側壁側へ向かうにつれて、凸部の突出量及び凹部の凹み量が変えられている。
【０００９】
前述のように、本態様では、ロッカの閉断面部内において、ロッカの外側壁と内側壁とを架け渡す横板が設けられることにより、当該横板が設けられていない場合と比較して、ロッカの剛性を向上させることができ、ロッカの変形を抑制することができる。
【００１０】
ところで、車両の側突時において、ロッカが塑性変形（座屈変形）することで、衝突エネルギは吸収される。本態様では、当該横板において、車両上下方向の上方側へ向かって突出する凸部と、車両上下方向の下方側へ向かって凹む凹部と、が車両幅方向に沿って交互に形成されている。
【００１１】
このため、車両の側突時において、横板は凸部及び凹部が座屈変形の起点となって変形することとなる。これにより、当該横板は、車両幅方向に沿って折り畳まれた状態となり、変形モードがコントロールされる。つまり、横板における座屈変形は安定し、衝突エネルギの吸収効率を上げることができる。
【００１２】
ここで、例えば、凸部の突出量及び凹部の凹み量が大きい場合、横板は、座屈変形し易くなり座屈変形は安定するが、その分、衝突エネルギの吸収量は低くなってしまう。一方、凸部の突出量及び凹部の凹み量が小さい場合、横板は剛性が上がり座屈変形は不安定になるが、その分、衝突エネルギの吸収量は高くなる。
【００１３】
したがって、本態様では、横板において、ロッカの外側壁側から内側壁側へ向かうにつれて、凸部の突出量及び凹部の凹み量を変えるように設定することで、座屈変形を安定化させると共に衝突エネルギの吸収量の増加を可能としている。
【００１４】
また、本態様では、横板において、凸部及び凹部を設けると共に、当該凸部の突出量及び凹部の凹み量を変えることで、横板の板厚を厚くすることなく、衝突エネルギの吸収量を増加させることが可能となる。つまり、本態様では、横板において、重量の増加を抑制しつつ、衝突エネルギの吸収量を増加させることが可能となる。
【００１５】
なお、本態様における「車両幅方向に沿って交互に形成されている」において、凸部と凹部が車両幅方向に沿って連続的に交互に形成されている形状以外に、凸部と凹部が断続的に交互に形成されている形状も含まれる。
【００１６】
第２の態様に係るロッカ構造は、第１の態様に係るロッカ構造において、前記凸部の突出量及び前記凹部の凹み量は、前記外側壁側から前記内側壁側へ向かうにつれて小さく設定されている。
【００１７】
第２の態様に係るロッカ構造では、凸部の突出量及び凹部の凹み量は、外側壁側から内側壁側へ向かうにつれて小さくなるように設定されることで、ロッカの外側壁側では、凸部の突出量及び凹部の凹み量は大きく、ロッカの内側壁側では、凸部の突出量及び凹部の凹み量は小さくなる。したがって、車両の側突時において、ロッカの外側壁側では、座屈変形が安定すると共に、ロッカの内側壁側に向かうにつれて、剛性を向上させることができ、衝突エネルギの吸収量を上げることができる。
【００１８】
第３の態様に係るロッカ構造は、第１の態様又は第２の態様に係るロッカ構造において、前記閉断面部内において、当該閉断面部における車両上下方向の下側に位置する下壁部と前記横板の間に車両上下方向に沿って架け渡された縦板が設けられている。
【００１９】
第３の態様に係るロッカ構造では、閉断面部内において、当該閉断面部における車両上下方向の下側に位置する下壁部と横板の間には、縦板が車両上下方向に沿って架け渡されている。これにより、横板は補強され、車両上下方向のブレが抑制される。すなわち、本態様では、当該縦板が設けられていない場合と比較して、ロッカの剛性を向上させることができ、ロッカの変形を抑制することができる。
【００２０】
したがって、本態様では、ロッカにおいて、座屈変形を安定させることで衝突エネルギの吸収効率を上げると共に、耐荷重を上げることでロッカが座屈変形した際の衝突エネルギの吸収量を上げることができる。
【００２１】
第４の態様に係るロッカ構造は、第３の態様に係るロッカ構造において、前記縦板は、前記横板における前記凸部の頂部と前記凹部の頂部との間に設けられている。
【００２２】
横板が座屈変形する際、凸部の頂部及び凹部の頂部を起点として横板が変形する。このため  第４の態様に係るロッカ構造では、縦板は、横板における凸部の頂部と凹部の頂部との間に設けられている。つまり、縦板を、凸部の頂部、凹部の頂部に設けないようにして、横板の変形が阻害されないようにしている。
【００２３】
第５の態様に係るロッカ構造は、第４の態様に係るロッカ構造において、前記横板における前記外側壁側に前記凸部が形成され、前記縦板は、前記凸部と前記凹部の変曲点と交差する位置に設けられている。
【００２４】
第５の態様に係るロッカ構造では、横板における外側壁側には、凸部が形成されている。このため、車両の側突時において、横板が座屈変形する際、横板における外側壁側では、当該横板は凸部を起点として上方側へ向かって変形する。
【００２５】
したがって、本態様では、横板における外側壁側の凸部と凹部の変曲点と交差する位置に下縦板が設けられることにより、横板の外側壁側が座屈変形する際に、縦板には、引張り方向の荷重が作用することとなる。これにより、縦板の座屈変形を抑制すると共に、ロッカにおいて、耐荷重を上げることができ、座屈変形した際の衝突エネルギの吸収量を上げることができる。
【００２６】
第６の態様に係るロッカ構造は、第１の態様〜第５の態様の何れか１の態様に係るロッカ構造において、前記横板は前記閉断面部における車両上下方向の中央部に配置されている。
【００２７】
例えば、横板が閉断面部における車両上下方向の下方側に設けられた場合、当該横板が座屈変形する際に、閉断面部の下壁部に当たると（底付くと）、潰れ残りが生じてしまう。この場合、衝突エネルギを効率よく吸収することができず、ロッカによる衝突エネルギの吸収量が減少する可能性が生じる。
【００２８】
したがって、第６の態様に係るロッカ構造では、横板は閉断面部における車両上下方向の中央部に配置されている。これにより、横板が座屈変形する際に、閉断面部の上壁部や下壁部に当たって底付かないようにして、潰れ残りが生じないようにしている。
【００２９】
第７の態様に係るロッカ構造は、第１の態様〜第６の態様の何れか１の態様に係るロッカ構造において、前記横板は、前記凸部と前記凹部が交互に形成された波状を成し、前記横板における前記外側壁側は前記凸部が設けられ、当該横板と当該外側壁との交点と前記凸部の頂部との変位は、当該外側壁側の凸部の振幅よりも小さく設定されている。
【００３０】
例えば、横板と外側壁との交点と凸部の頂部との変位が大きい場合、横板は座屈変形しやすくなってしまう。つまり、この場合、衝突エネルギの吸収量が小さくなってしまう。
【００３１】
したがって、第７の態様に係るロッカ構造では、横板は、凸部と凹部が交互に形成された波状を成し、横板における外側壁側は凸部が設けられ、当該横板と当該外側壁との交点と凸部の頂部との変位を当該外側壁側の凸部の振幅よりも小さくなるように設定することで、横板を座屈変形し難くして横板の座屈変形に伴う初期荷重を上げるようにしている。
【発明の効果】
【００３２】
以上説明したように、第１の態様に係るロッカ構造は、重量の増加を抑制しつつ、衝突エネルギの吸収量を増加させることができる、という優れた効果を有する。
【００３３】
第２の態様に係るロッカ構造は、車両の側突時において、ロッカの外側壁側では、座屈変形が安定すると共に、ロッカの内側壁に向かうにつれて、衝突エネルギの吸収量を上げることができる、という優れた効果を有する。
【００３４】
第３の態様に係るロッカ構造は、座屈変形を安定させることで衝突エネルギの吸収効率を上げると共に、耐荷重を上げることでロッカが座屈変形した際の衝突エネルギの吸収量を上げることができる、という優れた効果を有する。
【００３５】
第４の態様に係るロッカ構造は、凸部の頂部、凹部の頂部に縦板を設けないようにすることで、横板の変形を阻害しないようにすることができる、という優れた効果を有する。
【００３６】
第５の態様に係るロッカ構造は、耐荷重を上げることができ、座屈変形した際の衝突エネルギの吸収量を上げることができる、という優れた効果を有する。
【００３７】
第６の態様に係るロッカ構造は、横板が座屈変形する際に、閉断面部の上壁部や下壁部に当たって底付かないようにして、潰れ残りを抑制することができる、という優れた効果を有する。
【００３８】
第７の態様に係るロッカ構造は、横板と外側壁との交点と凸部の頂部との変位を当該外側壁側の凸部の振幅よりも小さくなるように設定することで、座屈変形し難くして初期荷重を上げることができる、という優れた効果を有する。
【図面の簡単な説明】
【００３９】
【図１】本実施形態に係るロッカ構造が適用されたロッカの斜視図である。
【図２】図１の２−２線に沿って切断したときの断面図である。
【図３】図２の一部を拡大して示す一部拡大断面図である。
【図４】車両の側突時の横板の変形量と変形荷重の関係を示すグラフである。
【図５】（Ａ）は、本実施形態に係るロッカ構造を示す要部拡大断面図であり、（Ｂ）は（Ａ）の変形例を示す要部拡大断面図である。
【図６】（Ａ）は、本実施形態に係るロッカ構造の変形例を示す要部拡大断面図であり、（Ｂ）は（Ａ）の変形例を示す要部拡大断面図である。
【図７】（Ａ）は、本実施形態に係るロッカ構造の変形例を示す要部拡大断面図であり、（Ｂ）は（Ａ）の変形例を示す要部拡大断面図である。
【発明を実施するための形態】
【００４０】
本発明の実施形態に係るロッカ構造について図面に基づいて説明する。なお、各図に適宜記す矢印ＦＲ、矢印ＵＰ、及び矢印ＯＵＴは、それぞれ本発明の一実施形態に係るロッカ構造が適用されたロッカにおける車両の前方向、上方向、及び車両幅方向の外側を示している。以下、単に前後、上下、左右の方向を用いて説明する場合は、特に断りのない限り、車両前後方向の前後、車両上下方向の上下、前方向を向いた場合の左右を示すものとする。
【００４１】
（ロッカ構造の構成）
まず、本実施の形態に係るロッカ構造の構成について説明する。図１には、本実施形態に係るロッカ構造が適用されたロッカ１０の斜視図が示されている。
【００４２】
図示はしないが、車両下部には、車両幅方向及び車両前後方向に沿ってフロアパネルが延在されており、フロアパネルの下方側には、例えば、モータ等のパワーユニットに電力を供給するための駆動力供給装置としてリチウムイオン電池、ニッケル水素電池等で構成された電池パック（蓄電池）が配設されている。なお、電池パックに代えて、水素タンク（燃料電池）が配設されてもよい。
【００４３】
そして、当該フロアパネルの車両幅方向の両端に、当該ロッカ１０が車両前後方向に沿ってそれぞれ延在されている。図２に示されるように、ロッカ１０は、車両幅方向の外側に位置するアウタ部１２と、車両幅方向の内側に位置するインナ部１４と、を含んで構成されている。
【００４４】
当該ロッカ１０は、例えば、アルミニウム合金等の金属によって形成されており、押出し加工や引抜き加工などによってアウタ部１２とインナ部１４とが一体形成され、アウタ部１２とインナ部１４とで閉断面部１６を形成している。なお、アウタ部１２とインナ部１４とは、必ずしも一体形成されなくてもよい。例えば、アウタ部１２とインナ部１４とを溶接や締結による結合により一体化させてもよい。
【００４５】
アウタ部１２は、車両幅方向に沿って切断された断面形状において、上下方向に沿って形成された外側壁１８と、当該外側壁１８の上端と繋がり車両幅方向の内側へ向かうにつれて上方側へ向かって傾斜する傾斜上壁部２０と、外側壁１８の下端と繋がり閉断面部１６の下側に位置する下壁部２２の一部と、を含んで構成されている。
【００４６】
一方、インナ部１４は、車両幅方向に沿って切断された断面形状において、インナ部１４の上部側で上下方向に沿って形成された上部内側壁２４と、インナ部１４の下部側で車両上下方向に沿って形成された下部内側壁（内側壁）２６と、を含んで構成されている。
【００４７】
この下部内側壁２６は、上部内側壁２４よりも車両幅方向の内側に位置しており、下部内側壁２６の上端と上部内側壁２４の下端との間には、略水平方向に沿って形成された横壁部２８が設けられている。なお、この横壁部２８は、上部内側壁２４から閉断面部１６側へ向かって延出し、アウタ部１２の外側壁１８と繋がっており、ロッカ１０は、上部１０Ａと下部１０Ｂとで区画されている。
【００４８】
また、上部内側壁２４の上端には、車両幅方向の外側へ向かうにつれて上方側へ向かって緩やかに傾斜する傾斜上壁部３０が繋がっており、当該傾斜上壁部３０は、アウタ部１２の傾斜上壁部２０と繋がるように形成されている。さらに、下部内側壁２６の下端には、閉断面部１６の下側に位置する下壁部２２の他部が繋がっている。
【００４９】
前述のように、インナ部１４の上部内側壁２４は、下部内側壁２６よりも車両幅方向の外側に位置しており、ロッカ１０の上部１０Ａと下部１０Ｂとで閉断面部の面積が異なっている。つまり、ロッカ１０の下部１０Ｂ側に設けられた下部閉断面部３２の面積の方が、ロッカ１０の上部１０Ａ側に設けられた上部閉断面部３４の面積よりも大きくなっており、ロッカ１０の上部１０Ａ側よりもロッカ１０の下部１０Ｂ側の方の剛性が高くなっている。
【００５０】
本実施形態では、下部閉断面部３２内には、車両上下方向の略中央部において、アウタ部１２の外側壁１８とインナ部１４の下部内側壁２６の間に横板３６が車両幅方向に沿って架け渡されている。このため、下部閉断面部３２は、横板３６によりさらに閉断面部３２Ａと閉断面部３２Ｂに区画されている。
【００５１】
ここで、図３に示されるように、横板３６は、波状に形成されている。当該横板３６は、上方側へ向かって突出する凸部３８と、下方側へ向かって凹む凹部４０とが、略一定の板厚で車両幅方向に沿って交互に連続して形成されている。
【００５２】
具体的に説明すると、本実施形態では、横板３６は、外側壁１８側から順番に、凸部３８Ａ、凹部４０Ａ、凸部３８Ｂ、凹部４０Ｂ、凸部３８Ｃが連続して形成されており、凸部３８Ａの頂部は頂部Ｐ１、凹部４０Ａの頂部は頂部Ｐ２、凸部３８Ｂの頂部は頂部Ｐ３、凹部４０Ｂの頂部は頂部Ｐ４、凸部３８Ｃの頂部は頂部Ｐ５とされている。
【００５３】
そして、当該凸部３８、凹部４０は、略一定の周波数で変動する波形とされ、外側壁１８側から下部内側壁２６側へ向かうにつれて振幅が、Ａ１、Ａ２、Ａ３、Ａ４（Ａ１＞Ａ２＞Ａ３＞Ａ４）と示されるように徐々に小さくなるように設定されている。
【００５４】
また、本実施形態では、横板３６と外側壁１８の交点Ｑ１が、横板３６の波形開始位置Ｑ１とされ、横板３６と下部内側壁２６の交点Ｑ２が横板３６の波形終了位置Ｑ２とされる。そして、横板３６の凸部３８Ａの頂部Ｐ１と波形開始位置Ｑ１との間の変位ｙ１は、横板３６の波形の振幅Ａ１よりも小さくなるように設定されている。
【００５５】
また、図２、図３に示されるように、閉断面部３２Ｂ側において、横板３６と下壁部２２の間には、複数の下縦板（縦板）４２が架け渡されており、当該下縦板４２は、外側壁１８側から順に、下縦板４２Ａ、下縦板４２Ｂ、下縦板４２Ｃ、下縦板４２Ｄとされている。
【００５６】
下縦板４２Ａは、横板３６における凸部３８Ａの頂部Ｐ１と凹部４０Ａの頂部Ｐ２の間に設けられ、凸部３８Ａと凹部４０Ａの変曲点Ｒ１と交差する位置に設けられている。また、下縦板４２Ｂは、横板３６における凹部４０Ａの頂部Ｐ２と凸部３８Ｂの頂部Ｐ３の間に設けられ、凹部４０Ａと凸部３８Ｂの変曲点Ｒ２と交差する位置に設けられている。
【００５７】
そして、下縦板４２Ｃは、横板３６における凸部３８Ｂの頂部Ｐ３と凹部４０Ｂの頂部Ｐ４の間に設けられ、凸部３８Ｂと凹部４０Ｂの変曲点Ｒ３と交差する位置に設けられている。また、下縦板４２Ｄは、横板３６における凹部４０Ｂの頂部Ｐ４と凸部３８Ｃの頂部Ｐ５の間に設けられ、凹部４０Ｂと凸部３８Ｃの変曲点Ｒ４と交差する位置に設けられている。なお、変曲点Ｒ１、Ｒ２、Ｒ３、Ｒ４は、横板３６の中立軸Ｏ上に設けられている。
【００５８】
（ロッカ構造の作用及び効果）
次に、本実施の形態に係るロッカ構造の作用及び効果について説明する。
【００５９】
本実施形態では、図２、図３に示されるように、ロッカ１０の下部閉断面部３２内には、アウタ部１２の外側壁１８とインナ部１４の下部内側壁２６の間に、横板３６が車両幅方向に沿って架け渡されている。そして、この横板３６には、凸部３８と凹部４０が車両幅方向に沿って連続して交互に形成されている。
【００６０】
このように、ロッカ１０の下部閉断面部３２内において、ロッカ１０の外側壁１８と下部内側壁２６とを架け渡す横板３６が設けられることにより、図示はしないが、当該横板３６が設けられていない場合と比較して、ロッカ１０の剛性を向上させることができ、ロッカ１０の変形を抑制することができる。すなわち、本実施形態では、当該ロッカ１０において、耐荷重を上げることができる。
【００６１】
ところで、一対のロッカ１０の内側には、例えば、電池パック（図示省略）が配設されているが、車両の側突時において、ロッカ１０に側突荷重が入力されると、当該ロッカ１０は、電池パックから反力を得て塑性変形（座屈変形）し、これによって、衝突エネルギが吸収される。
【００６２】
このとき、ロッカ１０の下部閉断面部３２内では、横板３６は凸部３８及び凹部４０が座屈変形の起点となって変形することとなる。つまり、横板３６は、凸部３８Ａの頂部Ｐ１、凹部４０Ａの頂部Ｐ２、凸部３８Ｂの頂部Ｐ３、凹部４０Ｂの頂部Ｐ４、凸部３８Ｃの頂部Ｐ５の順に、車両幅方向に沿って折り畳まれた状態となり、変形モードがコントロールされる。つまり、横板３６における座屈変形が安定し、衝突エネルギの吸収効率を上げることができる。
【００６３】
ここで、例えば、凸部３８の振幅及び凹部４０の振幅が大きい場合、横板３６は、座屈変形し易くなり座屈変形が安定するが、その分、衝突エネルギの吸収量は低くなってしまう。一方、凸部３８の振幅及び凹部４０の振幅が小さい場合、横板３６は、剛性が上がり座屈変形し難くなって座屈変形が不安定になるが、その分、衝突エネルギの吸収量は高くなる。
【００６４】
例えば、図４には、車両の側突時における横板の変形量と変形荷重の関係を示すグラフが示されており、（１）〜（３）では、横板の形状がそれぞれ異なっている。
【００６５】
具体的に説明すると、図４で示す（１）は、図示はしないが、横板において、凸部と凹部の振幅（Ａ）が、図３に示すロッカ１０の外側壁１８から下部内側壁２６に亘って同じ場合が示されている。
【００６６】
また、図４で示す（２）は、図５（Ａ）に示されるように、横板３６において、凸部３８、凹部４０の振幅は、ロッカ１０の外側壁１８側から下部内側壁２６側へ向かうにつれて、Ａ１、Ａ２、Ａ３、Ａ４と示すように徐々に小さくなるように設定された場合が示されている。
【００６７】
さらに、図４で示す（３）は、図５（Ｂ）に示されるように、横板４４において、凸部３８と凹部４０の振幅が、ロッカ４５の外側壁１８側から下部内側壁２６側へ向かうにつれて、Ａ４、Ａ３、Ａ２、Ａ１と示すように徐々に大きくなるように設定された場合が示されている。なお、図４で示す（２）、（３）の場合、最大振幅（Ａ１）は、図４で示す（１）の振幅（Ａ）と略同じである。
【００６８】
これによると、横板における凸部及び凹部の振幅が、ロッカ１０の外側壁１８から下部内側壁２６に亘って同じである場合よりも、ロッカ１０の外側壁１８側から下部内側壁２６側へ向かうにつれて変えた方が変形荷重は大きくなっており、衝突エネルギの吸収量が大きいことが分かる。
【００６９】
また、図４で示す（２）、（３）における最大振幅（Ａ１）が、図４で示す（１）における振幅（Ａ）と略同じ場合、図４で示す（２）、（３）における横板３６、４４（図５（Ａ）、（Ｂ）参照）の全長は、図４で示す（１）における横板の全長よりも短くすることができる。
【００７０】
したがって、図５（Ａ）、（Ｂ）で示す横板３６、４４のように、ロッカ１０の外側壁１８側から下部内側壁２６側へ向かうにつれて凸部３８及び凹部４０の振幅を変えた方が、当該横板３６、４４において、重量の増加を抑制しつつ、衝突エネルギの吸収量が大きいことが分かる。
【００７１】
なお、図４の（２）、図５（Ａ）で示されるように、凸部３８及び凹部４０の振幅が、ロッカ１０の外側壁１８側から下部内側壁２６側へ向かうにつれて徐々に小さくなるように設定された場合は、図４の（３）、図５（Ｂ）で示されるように、凸部３８及び凹部４０の振幅が、徐々に大きくなるように設定された場合よりも、横板３６の座屈変形に伴う初期荷重は若干低くなるものの衝突エネルギの吸収量は大きくなる。
【００７２】
このため、本実施形態では、図５（Ａ）に示されるように、横板３６において、ロッカ１０の外側壁１８側から下部内側壁２６側へ向かうにつれて凸部３８及び凹部４０の振幅がＡ１、Ａ２、Ａ３、Ａ４と示すように徐々に小さくなるように設定されている。これにより、座屈変形を安定化させると共に衝突エネルギの吸収量の増加を可能としている。
【００７３】
つまり、ロッカ１０の外側壁１８側では、凸部３８の振幅Ａ１は大きく、ロッカ１０の下部内側壁２６側では、凸部３８の振幅Ａ４は小さくなる。したがって、車両の側突時において、ロッカ１０の外側壁１８側では、横板３６の座屈変形が安定すると共に、ロッカ１０の下部内側壁２６側に向かうにつれて、衝突エネルギの吸収量を上げることができる。
【００７４】
また、本実施形態では、横板３６において、凸部３８及び凹部４０を設けると共に、当該凸部３８及び凹部４０の振幅をロッカ１０の外側壁１８側から下部内側壁２６側へ向かうにつれて変えることで、横板３６の板厚を厚くすることなく、衝突エネルギの吸収量を増加させることが可能となる。つまり、本実施形態におけるロッカ構造では、重量の増加を抑制しつつ、衝突エネルギの吸収量を増加させることができる。
【００７５】
さらに、図２に示されるように、本実施形態では、下部閉断面部３２内において、当該下部閉断面部３２の下側に位置する下壁部２２と横板３６の間には、下縦板４２が車両上下方向に沿って架け渡されている。これにより、横板３６は補強され、車両上下方向のブレが抑制される。
【００７６】
この結果、本実施形態では、当該横板３６の板厚を相対的に薄くすることが可能となり、ロッカ１０の軽量化を図ることができる。また、本実施形態では、図示はしないが、下縦板４２が設けられていない場合と比較して、ロッカ１０の剛性を向上させることができ、ロッカ１０の変形を抑制することができる。すなわち、本実施形態では、当該ロッカ１０において、耐荷重を上げることができる。
【００７７】
したがって、本実施形態では、ロッカ１０において、座屈変形を安定させることで衝突エネルギの吸収効率を上げると共に、耐荷重を上げることでロッカ１０が座屈変形した際の衝突エネルギの吸収量を上げることができる。
【００７８】
また、本実施形態では、図３に示されるように、横板３６における外側壁１８側の凸部３８Ａと凹部４０Ａの間に下縦板４２Ａが設けられている。これにより、横板３６の外側壁１８側において、凸部３８Ａの頂部Ｐ１を起点として横板３６が座屈変形する際に、下縦板４２Ａには、引張り方向（矢印方向）の荷重が作用することとなる。その結果、下縦板４２Ａの座屈変形が抑制され、ロッカ１０において、耐荷重を上げることができ、座屈変形した際の衝突エネルギの吸収量を上げることができる。
【００７９】
また、本実施形態では、図２に示されるように、横板３６は下部閉断面部３２における車両上下方向の略中央部に配置されている。例えば、図示はしないが、横板３６が下部閉断面部３２における車両上下方向の下方側に設けられた場合、当該横板３６が座屈変形する際に、下部閉断面部３２の下壁部２２に当たると（底付くと）、潰れ残りが生じてしまう。その結果、衝突エネルギを効率よく吸収することができず、ロッカ１０による衝突エネルギの吸収量が減少する可能性が生じる。
【００８０】
したがって、本実施形態では、横板３６は下部閉断面部３２の中央部に配置されている。これにより、横板３６が座屈変形する際に、下部閉断面部３２の横壁部２８や下壁部２２に当たって底付かないようにして、潰れ残りが生じないようにしている。なお、後述するが、横板３６は、必ずしも下部閉断面部３２の中央部に配置されなくてもよい。
【００８１】
また、本実施形態では、図３に示されるように、横板３６には、凸部３８と凹部４０が交互に形成され、横板３６における外側壁１８側には凸部３８が設けられ、横板３６と外側壁１８との交点Ｑ１と凸部３８Ａの頂部Ｐ１との変位ｙ１は、横板３６の凸部３８Ａの振幅Ａ１よりも小さく設定されている。
【００８２】
比較例として、例えば、図示はしないが、横板３６と外側壁１８との交点Ｑ１と凸部３８Ａの頂部Ｐ１との変位が大きい場合、横板３６は座屈変形しやすくなってしまう。つまり、この場合、衝突エネルギの吸収量は小さくなってしまう。
【００８３】
したがって、本実施形態では、前述のように、横板３６と外側壁１８との交点Ｑ１と凸部３８Ａの頂部Ｐ１との変位ｙ１を横板３６の振幅Ａ１よりも小さくなるように設定している。これにより、横板３６を座屈変形し難くして、横板３６の座屈変形に伴う初期荷重を上げるようにしている。
【００８４】
さらに、本実施形態では、ロッカ１０において、横板３６における外側壁１８側には、凸部３８が形成されている。このため、車両の側突時において、横板３６が座屈変形する際、横板３６における外側壁１８側では、当該横板３６は凸部３８を起点として上方側へ向かって変形する。
【００８５】
また、本実施形態では、下縦板４２Ａは、凸部３８Ａと凹部４０Ａの変曲点Ｒ１と交差する位置に設けられ、下縦板４２Ｂは、凹部４０Ｂと凸部３８Ｂの変曲点Ｒ２と交差する位置に設けられている。そして、当該変曲点Ｒ１、Ｒ２は、横板３６の中立軸Ｏ上に設けられている。変曲点Ｒ１、Ｒ２は、横板３６の波形高さの中央部に位置しており、当該変曲点Ｒ１、Ｒ２は横板３６の中立軸Ｏの交点となっている。
【００８６】
横板３６の中立軸Ｏでは、モーメントは発生しないため、当該中立軸Ｏ上に下縦板４２Ａ、４２Ｂを設けることで、当該下縦板４２Ａ、４２Ｂにおいて、余分な負荷を与えず、下縦板４２Ａ、４２Ｂの板厚を最小とすることができ、軽量化を図ることができる。なお、本実施形態では、横板３６における外側壁１８側に凸部３８が形成されているが、凹部４０が形成されてもよい。
【００８７】
（本実施形態の補足）
図２に示されるように、本実施形態では、下部閉断面部３２内において、車両上下方向の略中央部に横板３６が設けられているが、これに限るものではない。つまり、ロッカ１０は、前述のように、電池パックから反力を得て座屈変形することで、衝突エネルギを吸収するため、効果的に反力が得られる高さに横板３６の位置が設定されることが望ましい。
【００８８】
例えば、図示はしないが、下部閉断面部３２内において、車両上下方向の中央部よりも下側に横板３６が設けられている場合、横板３６とロッカ１０の下壁部２２の間に架け渡された複数の下縦板４２の長さを図２で示す下縦板４２の長さよりも短くすることができる。
【００８９】
したがって、下縦板４２の長さが短くなった分、当該下縦板４２の軽量化を図ることができる。また、横板３６を下部閉断面部３２内における車両上下方向の中央部よりも下側に設け、当該下縦板４２を設けることで、図２で示すロッカ１０よりも、重心を下側に設定することができる。これにより、車両において、走行時の安定性が向上する。
【００９０】
ここで、下縦板４２の長さが短くなると、その分、横板３６と下壁部２２との離間距離は短くなる。このため、側突荷重が入力された初期の段階での底付きを抑制するため、下部閉断面部３２内においてより広い断面積側に向かって座屈変形させるべく、横板３６における外側壁１８側には凸部３８が形成されることとなる。
【００９１】
なお、本実施形態では、閉断面部３２Ｂ側において、横板３６と下壁部２２の間に複数の下縦板４２が架け渡されているが、当該下縦板４２に代えて、図示はしないが、閉断面部３２Ａ側において、横板３６と横壁部２８の間に複数の縦板が架け渡されてもよい。
【００９２】
また、図２、図３に示されるように、上記実施形態では、横板３６の振幅を、ロッカ１０の外側壁１８側から下部内側壁２６側へ向かうにつれて徐々に小さくなるように設定しているが、本発明では、重量の増加を抑制しつつ、衝突エネルギの吸収量を増加させることができればよいため、これに限るものではない。
【００９３】
例えば、前述したが、図５（Ｂ）に示されるように、横板４４において、凸部３８と凹部４０の振幅が、ロッカ４５の外側壁１８側から下部内側壁２６側へ向かうにつれて、Ａ４、Ａ３、Ａ２、Ａ１と示すように徐々に大きくなるように設定されてもよい。
【００９４】
また、図５（Ａ）に示されるように、本実施形態では、横板３６は、波状に形成されている。しかし、本発明では、凸部と凹部とが、車両幅方向に沿って交互に形成されていればよいため、これに限るものではない。
【００９５】
例えば、図６（Ａ）に示されるように、横板４６において、断面が鋸歯状を成すように三角形状の凸部４８と凹部５０とで構成され、当該凸部４８と凹部５０とが車両幅方向に沿って交互に形成されてもよい。
【００９６】
なお、ここでは、ロッカ５１の外側壁１８側から下部内側壁２６側へ向かうにつれて凸部４８と凹部５０の振幅Ａが徐々に小さくなるように設定されているが、前述のように、ロッカ５１の外側壁１８側から下部内側壁２６側へ向かうにつれて当該振幅Ａが徐々に大きくなるように設定されてもよい。以下の実施形態においてもこれと同様である。
【００９７】
また、図６（Ａ）で示す横板４６以外にも、図６（Ｂ）に示されるロッカ５２のように、横板５３において、断面が台形状の凸部５４と凹部５６とで構成され、当該凸部５４と凹部５６とが車両幅方向に沿って交互に形成されてもよい。
【００９８】
さらに、図５（Ａ）に示されるように、本実施形態では、横板３６は、凸部３８と凹部４０とが、車両幅方向に沿って交互に連続して形成されているが、当該凸部３８と凹部４０とは、必ずしも連続的に形成される必要はない。
【００９９】
例えば、図７（Ａ）に示されるロッカ６０のように、車両幅方向に沿って直線状に形成された横板６２において、断面が三角形状を成す凸部６４と凹部６６とが断続的、かつ交互に形成されてもよい。また、図７（Ｂ）に示されるロッカ６８のように、車両幅方向に沿って直線状に形成された横板７０において、断面が半円状を成す凸部７２と凹部７４とが断続的、かつ交互に形成されてもよい。
【０１００】
以上、本発明の実施形態の一例について説明したが、本発明の実施形態は、上記に限定されるものでなく、一実施形態及び各種の変形例を適宜組み合わせて用いても良いし、本発明の要旨を逸脱しない範囲において、種々なる態様で実施し得ることは勿論である。
【符号の説明】
【０１０１】
１０      ロッカ
１８      外側壁
２２      下壁部
２６      下部内側壁（内側壁）
２８      横壁部（上壁部）
３２      下部閉断面部（閉断面部）
３６      横板
３８      凸部
４０      凹部
４２      下縦板（縦板）
４４      横板
４５      ロッカ
４６      横板
４８      凸部
５０      凹部
５１      ロッカ
５２      ロッカ
５３      横板
５４      凸部
５６      凹部
６０      ロッカ
６２      横板
６４      凸部
６６      凹部
６８      ロッカ
７０      横板
７２      凸部
７４      凹部
Ａ        振幅（外側壁側の凸部の振幅）
Ｐ１      頂部（凸部の頂部）
Ｐ２      頂部（凹部の頂部）
Ｐ３      頂部（凸部の頂部）
Ｐ４      頂部（凹部の頂部）
Ｐ５      頂部（凸部の頂部）
Ｑ１      交点（横板と外側壁との交点）
Ｒ１      変曲点（凸部と凹部の変曲点）
Ｒ３      変曲点（凸部と凹部の変曲点）
ｙ１      変位（横板と外側壁との交点と凸部の頂部との変位）
【図１】
2019137256.tif 000003
【図２】
2019137256.tif 000004
【図３】
2019137256.tif 000005
【図４】
2019137256.tif 000006
【図５】
2019137256.tif 000007
【図６】
2019137256.tif 000008
【図７】
2019137256.tif 000009